(57)【要約】      （修正有）【課題】ドッキングコネクターとケーブルコネクターの相互脱落を防止でき、さらにコードが過度に伸ばされた時には、連結を解消できるケーブルコネクターを提供する。【解決手段】ケーブルコネクター１００は本体１、固定装置２を備える。本体はケース１０、及びケース前端面１０１と一体に連接するスリーブ１１を備える。ケース内にはケース内部からスリーブ内部へと延伸する少なくとも１個の導電端子３を設置する。固定装置２はケース後端面１０２に設置され、ケースの前後方向に沿って移動する嵌合部品２１、ケース後端面に設置するフィード機構２３を備える。嵌合部品上には少なくとも１個のオーバーハングアーム２２を形成し、オーバーハングアームは本体上の開口１０４を通してスリーブ内に進入する。フィード機構は嵌合部品に連接し、嵌合部品の移動を制御する。【選択図】図２
0003195210.tif 000002
【実用新案登録請求の範囲】
【請求項１】
ケーブルコネクターであって、ドッキングコネクターとの電気的連接に用いられ、
前記ケーブルコネクターは、本体、固定装置を備え、
前記本体は、ケース、及び前記ケース前端面と一体に連接するスリーブを備え、前記ケース内には、前記ケース内部から前記スリーブ内部へと延伸する少なくとも1個の導電端子を設置し、
前記固定装置は、前記ケースの前後方向に沿って移動する嵌合部品、前記ケース後端面に設置するフィード機構を備え、前記嵌合部品上には、少なくとも１個のオーバーハングアームを形成し、前記オーバーハングアームは、前記本体上の開口を通して、前記スリーブ内に進入し、前記フィード機構は、前記嵌合部品を制御し、前記嵌合部品の移動を制御することを特徴とするケーブルコネクター。
【請求項２】
前記嵌合部品は、おおよそ環状で、前記ケース外周面に嵌めて設置することを特徴とする請求項１に記載のケーブルコネクター。
【請求項３】
前記フィード機構は、前記ケース後端面に設置するボルト、及び前記ボルトと螺合する調整ナットを備え、
前記調整ナットは、回転可能状に、前記嵌合部品と、軸方向に連接することを特徴とする請求項２に記載のケーブルコネクター。
【請求項４】
前記スリーブは、前記ケース外周面表面に突出するステップ部を備え、
前記開口は、前記ステップ部において、前記ケースと隣接する垂直表面に設置することを特徴とする請求項１に記載のケーブルコネクター。
【請求項５】
前記調整ナット表面には、指で回すのに便利な接触部を設置することを特徴とする請求項１に記載のケーブルコネクター。
【請求項６】
前記開口内には、斜滑槽を設置することを特徴とする請求項１に記載のケーブルコネクター。
【請求項７】
前記オーバーハングアームの末端位置には、逆角を設置し、
前記逆角は、斜逆角、或いは円逆角であることを特徴とする請求項１に記載のケーブルコネクター。
【請求項８】
前記オーバーハングアーム上には、楔形片を設置することを特徴とする請求項１に記載のケーブルコネクター。
【請求項９】
前記スリーブと前記ドッキングコネクターとの対応は、隙間を持たせた対応で、
これにより、前記ドッキングコネクターと前記スリーブ内壁との間には、隙間を生じることを特徴とする請求項１に記載のケーブルコネクター。
【考案の詳細な説明】
【技術分野】
【０００１】
本考案は、ケーブルコネクターに関し、回転固定機能を備えるケーブルコネクターに関する。
【背景技術】
【０００２】
電子装置の多くでは、ドッキングコネクターとケーブルコネクターを相互に連接することで、電気的連接を完成させている。例えば、ＩＥＣ  Ｃ１４コネクターとＩＥＣ  Ｃ１３コネクターなどを通して接合後に、電源の供給を行う。
【０００３】
電子設備の操作過程において、緩んで脱落、或いは人の誤接触により脱落などの状況が起きれば、電子設備は動きを停止してしまう。電子設備は、重要な作業の処理がしばしば求められるため、上記のような状況においては、使用者にとっては非常な不便をもたらすこととなる。そのため、固定装置を備えた電源ドッキングコネクターとケーブルコネクターが、市販されている。ドッキングコネクターとケーブルコネクターとを結合後は、固定装置のロックを解除しなければ取り外せないため、電子装置の作業過程におけるケーブルコネクターの脱落を防止することができる。
【０００４】
しかし、人員が動き回る、或いは貨物運搬の動線上に設置される電子設備において、市販の固定装置を備えるケーブルコネクターを利用すれば、人員や貨物を巻き込んでしまい、人員の負傷や貨物の損壊、或いは電子設備の損壊などの状況が起きかねない。その損失は、コネクターに固定装置を設置することで、より重大になる恐れがある。特に、ある種の線対線のケーブルコネクターは、コード長の延長に用いられるため、コードが長くなり、人や貨物がからまる可能性がより高くなってしまう。
【０００５】
そのため、ドッキングコネクターとケーブルコネクターの相互脱落を防止でき、さらにコードが過度に伸ばされた時には、連結を解消できるケーブルコネクターの開発が待たれている。
【考案の概要】
【考案が解決しようとする課題】
【０００６】
しかし、上述した考案は使用上に欠点があり、改善する必要がある。その原因は下記の通りである。
【０００７】
上述した考案の固定装置を備えるケーブルコネクターは、人員や貨物を巻き込み、人員の負傷や貨物の損壊、電子設備の損壊などの状況が深刻になり易く、特にコード長の延長に用いられる線対線のケーブルコネクターでは、人や貨物がからまる可能性がより高くなってしまう。
【０００８】
本考案は、上述の問題に鑑みてなされたものであり、その目的は、脱落しにくく、コードが過度に伸ばされた時には、連結を解消できるケーブルコネクターを提供することにある。
【課題を解決するための手段】
【０００９】
本考案によるケーブルコネクターは、ドッキングコネクターとの電気的連接に用いられる。
ケーブルコネクターは、本体、固定装置を備える。
本体は、ケース、及びケース前端面と一体に連接するスリーブを備え、ケース内には、ケース内部からスリーブ内部へと延伸する少なくとも1個の導電端子を設置する。
固定装置は、ケースの前後方向に沿って移動する嵌合部品、ケース後端面に設置するフィード機構を備える。
嵌合部品上には、少なくとも１個のオーバーハングアームを形成し、オーバーハングアームは、本体上の開口を通して、スリーブ内に進入する。
フィード機構は、嵌合部品を制御し、嵌合部品の移動を制御する。
【００１０】
嵌合部品は、おおよそ環状で、ケース外周面に嵌めて設置する。
フィード機構は、ケース後端面に設置するボルト、及びボルトと螺合する調整ナットを備え、調整ナットは、回転可能状に、嵌合部品と、軸方向に連接する。
スリーブは、ケース外周面表面に突出するステップ部を備え、開口は、ステップ部において、ケースと隣接する垂直表面に設置する。
調整ナット表面には、指で回すのに便利な接触部を設置する。
開口内には、斜滑槽を設置する。
オーバーハングアームの末端位置には、逆角を設置し、逆角は、斜逆角、或いは円逆角である。
オーバーハングアーム上には、楔形片を設置する。
スリーブとドッキングコネクターとの対応は、隙間を持たせた対応で、これによりドッキングコネクターとスリーブ内壁との間には、隙間を生じる。
【考案の効果】
【００１１】
本考案のケーブルコネクターは、挿入／抜取力を拡大することで、ドッキングコネクターとケーブルコネクターとを固定し、ケーブルコネクターとドッキングコネクターとは、確実に脱落しにくくなる。しかも、ドッキングコネクターとケーブルコネクター間は、楔形片により圧迫されるため、コード（図示なし）が過度に引っ張られ一定の力に達すると、ケーブルコネクターとドッキングコネクターとは接続を解消される。さらに、挿入／抜取力は調整可能であるため、ケーブルコネクターが連接する電子設備の重量に応じて、挿入／抜取力を調整でき、比較的重い電子設備を用いるなら、挿入／抜取力を大きく調整し、比較的軽い電子設備を用いるなら、挿入／抜取力を小さく調整することができる（電子設備のコードが引っ張られる力の大きさは、それ自身の重量と関連があるため）。こうして、コードが人や物に絡まると、ケーブルコネクターが即時に脱落するため、電子設備が引っ張られることはない。すなわち、本考案は固定装置を通して、ケーブルコネクターが使用中に脱落し、或いは過度に引っ張られることにより発生する問題を解決することができる。
【図面の簡単な説明】
【００１２】
【図１】本考案の一実施形態によるケーブルコネクターの正視図である。
【図２】本考案の一実施形態によるケーブルコネクターの分解図である。
【図３】本考案の一実施形態によるケーブルコネクターの図１のＡ−Ａ線における断面図である。
【図４】本考案の一実施形態によるケーブルコネクターの図２のオーバーハングアームの局部拡大図である。
【考案を実施するための形態】
【００１３】
以下に図面を参照しながら本考案を実施するための最良の形態について詳細に説明する。
【実施例１】
【００１４】
本考案の一実施形態によるケーブルコネクターを図面に基づいて説明する。図１に示すように、本考案の一実施形態によるケーブルコネクター１００は、ドッキングコネクター（図示なし）との電気的連接に用いられる。ケーブルコネクター１００は、本体１、固定装置２を備える。固定装置２と本体１とは、相互に連接し、ケーブルコネクター１００とドッキングコネクターとの挿入／抜取力を増強する。
【００１５】
図２、３に示すように、本体１は、ケース１０、スリーブ１１を備える。ケース１０は、前端面１０１、後端面１０２、及びケース１０の前端面１０１と後端面１０２に連接する外周面１０３を備える。スリーブ１１とケース１０前端面１０１とは連接する。ケース１０前端面１０１の周縁は、前方へと延伸し、桶状空間を形成し、ドッキングコネクターを収容する。本実施形態では、ケース１０とスリーブ１１とは、上蓋と下蓋により組成する。スリーブ１１と、ドッキングコネクターとの対応は、隙間を持たせた対応で、これによりドッキングコネクターとスリーブ１１内壁との間には、隙間を生じる。ケース１０内には、ケース１０内部からスリーブ１１内部へと延伸する少なくとも1個の導電端子を設置する。
【００１６】
ドッキングコネクターをスリーブ１１に挿入すると、導電端子３は、ドッキングコネクターと電気的連接を形成する。
【００１７】
ケース１０内には、ケース１０内部からスリーブ１１内部へと延伸する少なくとも1個の導電端子を設置する。
【００１８】
固定装置２は、ケース外周面１０３に設置し、ケース１０前後方向に沿って移動する嵌合部品２１、ケース１０後端面１０２に設置するフィード機構２３を備える。フィード機構２３は、嵌合部品２１を制御し、ケース１０前後方向に沿って移動させる。
【００１９】
嵌合部品２１上には、少なくとも１個の板状のオーバーハングアーム２２を形成する。
嵌合部品２１は、おおよそ環状で、ケース１０外周面に嵌めて設置する。オーバーハングアーム２２は、嵌合部品２１上に連接し、スリーブ１１と隣接する。オーバーハングアーム２２は、本体１上の開口１０４を通して、スリーブ１１内に進入する。
【００２０】
フィード機構２３は、ケース１０後端面１０２に設置するボルト２３１、及びボルト２３１と螺合する調整ナット２３２を備える。ボルト２３１の軸方向と後端面１０２とは垂直で、調整ナット２３２前端は、回転可能状に、嵌合部品２１後端と、軸方向に連接する。これにより、調整ナット２３２を回すことで、嵌合部品を制御し、ケース１０前後方向に沿って移動させることができる。
【００２１】
調整ナット２３２表面には、指で回すのに便利な接触部２３３を設置する。本実施形態では、接触部２３３は、前後に延伸し、間隔を開けて配列する複数の凸リブで、これにより接触摩擦力を増強することができる。
【００２２】
スリーブ１１は、ケース１０外周面１０３表面に突出するステップ部１１１を備える。
開口１０４は、ステップ部１１１において、ケース１０と隣接する垂直表面に設置する。これにより、オーバーハングアーム２２は、ケース１０外周面１０３により、前方へと延伸し、開口１０４内に直接進入する。
【００２３】
図３に示すように、オーバーハングアーム２２を、スリーブ１１内において、中心方向へと斜めに移動させ、挿入／抜取力を増強するため、開口１０４内には、オーバーハングアーム２２を導引し、スリーブ１１の軸方向中心へと斜めに移動させる斜滑槽１０５を設置する。
【００２４】
オーバーハングアーム２２の局部拡大図である図４に示すように、オーバーハングアーム２２の末端位置には、逆角２２１を設置する。逆角２２１は、斜逆角、或いは円逆角である。オーバーハングアーム２２上には、前が低く後が高い楔形片２２２を設置する。楔形片２２２は、オーバーハングアーム２２の外側、或いは内側上に設置することができる。
【００２５】
使用時には、ケーブルコネクター１００をドッキングコネクターに挿入すると、調整ナット２３２を回して、嵌合部品２１を、調整ナット２３２に連動して前進させることができる。こうして、オーバーハングアーム２２を連動し前方へと移動させ、ドッキングコネクターとスリーブ１１内壁との隙間内（図示なし）に挿入することができる。これにより、スリーブ１１とドッキングコネクターとの挿入／抜取力を増強することができる。
【００２６】
図３に示すように、斜滑槽１０５は、オーバーハングアーム２２が中心方向へと斜めに移動する際のサポートを提供することができる。しかも、楔形片２２２に押さえられることで、オーバーハングアーム２２が隙間内へとより深く移動すると、楔形片２２２が受ける、スリーブ１１内壁とドッキングコネクター圧迫の力もより大きくなる。そのため、挿入／抜取力もより大きくなる。すなわち、ケーブルコネクター１００とドッキングコネクターとの挿入／抜取力は、オーバーハングアーム２２の移動の位置に応じて決定されるため、挿入／抜取力を調整することができる。
【００２７】
上記を総合すると、本考案のケーブルコネクター１００は、挿入／抜取力を拡大することで、ドッキングコネクターとケーブルコネクター１００とを固定し、ケーブルコネクター１００とドッキングコネクターとは、確実に脱落しにくくなる。しかも、ドッキングコネクターとケーブルコネクター１００間は、楔形片２２２により圧迫されるため、コード（図示なし）が過度に引っ張られ一定の力に達すると、ケーブルコネクター１００とドッキングコネクターとは接続を解消される。さらに、挿入／抜取力は調整可能であるため、ケーブルコネクター１００が連接する電子設備の重量に応じて、挿入／抜取力を調整できる。比較的重い電子設備を用いるなら、挿入／抜取力を大きく調整し、比較的軽い電子設備を用いるなら、挿入／抜取力を小さく調整することができる（電子設備のコードが引っ張られる力の大きさは、それ自身の重量と関連があるため）。コードが人や物に絡まると、ケーブルコネクター１００が即時に脱落し、電子設備が引っ張られることはない。本考案は固定装置２を通して、ケーブルコネクター１００が使用中に脱落し、或いは過度に引っ張られることにより発生する問題を解決することができる。
【符号の説明】
【００２８】
１００  ケーブルコネクター
１  本体
１０  ケース
１０１  前端面
１０２  後端面
１０３  外周面
１０４  開口
１０５  斜滑槽
１１  スリーブ
１１１  ステップ部
２  固定装置
２１  嵌合部品
２２  オーバーハングアーム
２２１  逆角
２２２  楔形片
２３  フィード機構
２３１  ボルト
２３２  調整ナット
２３３  接触部
３  導電端子
【図１】
0003195210.tif 000003
【図２】
0003195210.tif 000004
【図３】
0003195210.tif 000005
【図４】
0003195210.tif 000006